(57)【要約】【課題】  読み取り画像データの濃度変動をなくすようにすることが可能な画像読み取り装置を提供する。【解決手段】  原稿読み取り前に読み取った基準白板データにより原稿読み取りデータを補正する機能を有する制御手段５を備えた画像読み取り装置において、制御手段５は、連続原稿読み取り時、原稿読み取り開始前に読み取った基準白板データに基づいてランプ光量を紙間で可変する制御を行う。【選択図】        図１
2005184489.tif 000002
【特許請求の範囲】
【請求項１】
原稿読み取り前に読み取った基準白板データにより原稿読み取りデータを補正する機能を有する制御手段を備えた画像読み取り装置において、前記制御手段は、連続原稿読み取りの際、原稿読み取り開始前に読み取った基準白板データに基づいてランプ光量を紙間で可変する制御を行うことを特徴とする画像読み取り装置。
【請求項２】
前記ランプ光量の可変は、ＲＯＭに保存されている基準白板読み取りデータ値と前記ランプ光量の対応表に基づいて行うことを特徴とする請求項１記載の画像読み取り装置。
【請求項３】
基準白板読み取りデータ値に応じて前記ランプ光量を可変する紙間の間隔を可変させることを特徴とする請求項１記載の画像読み取り装置。
【請求項４】
基準白板データを重加算平均した後、主走査にピーク検出を行うことを特徴とする請求項１記載の画像読み取り装置。
【発明の詳細な説明】
【技術分野】
【０００１】
本発明は、デジタルコピー機、ファクシミリ、スキャナ等に用いられる画像読み取り装置に関するもので、特にＣＣＤ等の受光素子における基準白板データにより読み取りデータを補正する画像読み取り装置に関する。
【背景技術】
【０００２】
一般にデジタル画像読み取り装置では、ＣＣＤラインセンサの各画素の感度むらや、レンズにおける透過光量のばらつき、照明・光学系の照度むら、主走査方向の光量分布、及び劣化などが原因で、各画素に対応する受光素子からの出力が必ずしも均一なるとは限らない。これらを補正する手段としてシェーディング補正が知られている。
シェーディング補正に際しては、まず原稿搭載部の近傍に配置された基準白板を実際の原稿読み取り処理に先だって照明し、その反射光を読み取り、各画素のシェーディング補正用の白レベルデータとして取得する。そしてその白レベルデータをシェーディング補正データとして、このシェーディング補正データと読み取られた読み取りデータとを演算することで読み取りデータのシェーディング補正を行っている。
一方、光源は点灯開始後、管面温度の変化によって照度、主走査方向の光量分布が変動する。ＡＤＦ読み取り時のような原稿を連続して読み取る場合には、例えば、１枚目の原稿読み取りデータと９９枚目の原稿読み取りデータでは、前記光源の短期変動の影響から原稿読み取りデータレベルに差が発生し、同じシェーディング補正データでシェーディング処理を行った場合、読み取り濃度が異なってしまうという不具合が発生することになる。
そこで、例えば特許文献１では、ＡＤＦのような原稿移動モードで連続して読み取りする時、原稿通過範囲の主走査方向両端部の外領域に設けられている第２の基準白板の反射光データから照射光量の補正を行うことで、読み取り濃度が異なってしまうという不具合が発生しない読み取り装置を提案している。
また、特許文献２では、原稿移動型読み取りで、２枚目以降の紙間で露光ランプの光量をモニタし、ランプの光量が装置に記憶した判定基準以下の場合、読み取りを停止する画像読み取り装置が提案されている。
【特許文献１】特開２０００−２７０１７２公報
【特許文献２】特開２００２−２６２０４１公報
【発明の開示】
【発明が解決しようとする課題】
【０００３】
特許文献１記載の技術は、第２の基準白板を設置することで、設置するスペースが必要になる上にコストもかかり、製造上のばらつきにより第１の基準白板と第２の基準白板の濃度が同じでない場合、高品位の再現画像を得ることができないという問題が発生する。
また、特許文献２記載の技術は、連続原稿読み取り時にランプ光量の変動が大きい場合は途中で読み取りを停止するというものであり、コピー中に突然読み取りが停止してしまうためユーザーに混乱を与えてしまう。また、紙間で原稿を搬送する側の部材の濃度を読み取ってランプ光量をモニタするので、部材の濃度は周囲環境等によって変化し正確なランプ光量をモニタできないという問題がある。
そこで本発明は、読み取り画像データの濃度変動をなくすようにすることが可能な画像読み取り装置を提供することを目的とする。
【課題を解決するための手段】
【０００４】
上記目的を達成するために、請求項１記載の発明では、原稿読み取り前に読み取った基準白板データにより原稿読み取りデータを補正する機能を有する制御手段を備えた画像読み取り装置において、制御手段は、連続原稿読み取り時、原稿読み取り開始前に読み取った基準白板データに基づいてランプ光量を紙間で可変する制御を行う画像読み取り装置を最も主要な特徴とする。
請求項２記載の発明では、ランプ光量の可変は、ＲＯＭに保存されている基準白板読み取りデータ値とランプ光量の対応表に基づいて行う請求項１記載の画像読み取り装置を主要な特徴とする。
請求項３記載の発明では、基準白板読み取りデータ値に応じてランプ光量を可変する紙間の間隔を可変させる請求項１記載の画像読み取り装置を主要な特徴とする。
請求項４記載の発明では、基準白板データを重加算平均した後、主走査にピーク検出を行う請求項１記載の画像読み取り装置を主要な特徴とする。
【発明の効果】
【０００５】
本発明では、原稿読み取り前に読み取った基準白板データにより原稿読み取りデータを補正する機能を有する制御手段を備えた画像読み取り装置において、制御手段は、連続原稿読み取り時、原稿読み取り開始前に読み取った基準白板データに基づいてランプ光量を紙間で可変する制御を行うので、所期の目的を達成することができる。
【発明を実施するための最良の形態】
【０００６】
以下、図面を参照して、本発明の実施形態を詳細に説明する。
図１は本発明の実施形態に係る画像読み取り装置の基本構成を示すブロック図である。
図１において、イメ−ジセンサ１は、図示されていない光源により照明された原稿（これも本図に示されていない）からの反射光信号をアナログ電気信号に変換する。オペアンプ２は、イメ−ジセンサ１からのアナログ信号を設定された増幅率で増幅する。Ａ／Ｄ変換器３は、オペアンプ２で増幅されたアナログ信号を所定の分解能でデジタル信号に変換する。データ処理部４は、デジタルデ−タのピ−クレベルを検出する機能を有し、また基準白板データを重加算平均した後、主走査にピーク検出を行う機能を有する。
ＣＰＵ５は、基準白板のデジタルデータのピークレベルからランプ光量を算出し、読み取り原稿の紙間でランプ光量増幅分を制御する。ＲＯＭ６は、基準白板のデジタルデータとランプ光量レベルの対応表を記憶している。光源駆動部７は、ＣＰＵ５からの命令に従ってランプ光量を制御する。ランプ８は、基準白板及び原稿を読み取るときに光を発する。
本発明の画像読み取り装置は、ＡＤＦ連続原稿読み取り時、原稿搭載部の横に設定された基準白板を読み取り、ＣＰＵ５はその基準白板データからランプ光量を算出し、次にユーザーが設定した原稿サイズから１枚の原稿を読み取る時間を算出する。そしてランプ光量特性と１枚の原稿を読み取る時間からランプ光量減衰分を算出し、その減衰分のランプ光量を紙間で増幅させることによって読み取り画像データの濃度変動をなくすようにするものである。この技術では、基準白板の製造上のばらつきや部材の濃度変動やコピーが途中で止まるという問題はない。
図２は本発明の画像読み取り装置におけるコピースタート時からコピー終了時までのフローチャートである。まず、コピースタートボタンを押すとキャリッジが基準白板の下へ移動する（Ｓ１）。基準白板を読み取りシェーディングデータを生成後（Ｓ２）、ＣＰＵ５がシェーディングデータ（基準白板データ）に基づいてランプ光量を算出する（Ｓ３）。次にキャリッジはＡＤＦ読み取り位置へ移動し（Ｓ４）原稿の読み取りを開始する（Ｓ５）。原稿読み取り時は原稿の紙間でランプ光量を可変させ、原稿が最後であることを確認するとコピー終了となる（Ｓ６〜Ｓ８）。
【０００７】
図３はランプの管面温度とランプ光量の関係を示したグラフである。図３のように、ランプ光量はランプ管面温度が高くなるに従って徐々に減衰していき逆にランプ管面温度が低くなるに従ってランプの光量は上がる。ＡＤＦ連続原稿読み取り時、ランプ光量を制御することなく原稿を読み取り続けると、ランプ管面温度が上がるためランプ光量は減衰していく。
図４はＡＤＦ連続原稿読み取り時に原稿の紙間でランプ光量を可変しなかった場合のランプ光量と時間との関係を示したグラフである。このグラフから、ＡＤＦ連続原稿読み取り枚数が多くなった時、ランプ管面温度が上昇しランプ光量が減衰するので、同濃度の原稿を読んだにもかかわらず例えば原稿１枚目と原稿５０枚目では読み取りデータに大きく差が生じてしまうことが判る。
図５はＡＤＦ連続原稿読み取り時に各紙間において、ランプ光量を増幅した場合のランプ光量と時間との関係を示したグラフである。本グラフはランプ光量の変化分を分かり易くするため大きめに記載している。
ＣＰＵ５はＡＤＦ連続原稿読み取り開始前に読み取った基準白板読み取りデータ値に基づいて原稿読み取り開始時のランプ光量を算出した後、ユーザーが設定した原稿サイズによって原稿読み取り開始から次の紙間までに要する時間を算出する。次に、温度が上昇するとランプ光量が減衰するというランプ光量特性（図３及び図４記載）より、原稿１枚を読み取る期間に減衰するランプ光量を算出し、紙間にその減衰分のランプ光量を増幅させる。
ＡＤＦ連続原稿読み取り中は原稿サイズが変わらないので各々の原稿読み取り時間は一定であり、また各原稿の読み取り開始時のランプ光量も同じであることから、紙間でのランプ光量増幅分は原稿読み取り開始時から終了時まで一定として問題ない。
【０００８】
図６はＡＤＦ連続原稿読み取り時に原稿２枚に１回の紙間においてランプ光量を制御した場合のランプ光量と時間との関係を示したグラフである。本グラフはランプ光量の変化分を判り易くするため大きめに記載している。
コピー開始前の基準白板読み取り時に算出されたランプ光量が小さかった場合は、図３のランプ光量特性から判るように連続原稿読み取り時にランプ光量の減衰は極めて少ないので、各紙間で光量を可変させなくても読み取り画像データの濃度変動はほとんど現れない。
よってコピー開始前の基準白板読み取り時に算出されたランプ光量が小さかった場合は、原稿２枚に１回（図６記載）または原稿３枚に１回の紙間にランプ光量を可変させるなどとタイミングをいろいろ変えることが可能となる。
本発明によれば、ＡＤＦ連続原稿読み取り時、原稿読み取り開始前に読み取った基準白板データに基づいて原稿読み取り時のランプ光量減衰分をＣＰＵ５で算出しその減衰分のランプ光量を紙間で増幅することにより、読み取り画像データの濃度変動をなくすことができ高品位の再現画像を得ることができるという効果がある。
また、ランプ光量の可変値はＲＯＭ６に保存されている基準白板読み取りデータ値とランプ光量の対応表に基づいて行うことにより、ＣＰＵ５の処理を簡易化することができるという効果がある。
また、ＡＤＦ連続原稿読み取り時、ランプ光量を可変する紙間の間隔を可変させることにより、ＣＰＵ５の無駄な処理を省き効率よく処理を行うことができるので、ＣＰＵ５の処理量を低減させることができるという効果がある。
また、基準白板データを重加算平均し主走査にピーク検出を行ったデータ値に基づいてＡＤＦ連続原稿読み取り開始時のランプ光量を算出することにより、基準白板についているゴミや汚れの影響を受けず正確なランプ光量を得ることができるという効果がある。
【図面の簡単な説明】
【０００９】
【図１】本発明の実施形態に係る画像読み取り装置の基本構成を示すブロック図。
【図２】本発明の画像読み取り装置におけるコピースタート時からコピー終了時までのフローチャート。
【図３】ランプの管面温度とランプ光量の関係を示したグラフを示す図。
【図４】ＡＤＦ連続原稿読み取り時に原稿の紙間でランプ光量を可変しなかった場合のランプ光量と時間との関係を示したグラフを示す図。
【図５】ＡＤＦ連続原稿読み取り時に各紙間において、ランプ光量を増幅した場合のランプ光量と時間との関係を示したグラフを示す図。
【図６】ＡＤＦ連続原稿読み取り時に原稿２枚に１回の紙間においてランプ光量を制御した場合のランプ光量と時間との関係を示したグラフを示す図。
【符号の説明】
【００１０】
１  イメージセンサ
５  ＣＰＵ（制御手段）
６  ＲＯＭ
８  ランプ
【図１】
2005184489.tif 000003
【図２】
2005184489.tif 000004
【図３】
2005184489.tif 000005
【図４】
2005184489.tif 000006
【図５】
2005184489.tif 000007
【図６】
2005184489.tif 000008